(57)【要約】【課題】  軸足を垂直にし、振り被る足を足置板に置くことにより、膝の裏側を直角とすると共に、両肩を地面に平行にし、左肩が目標をしっかり向く姿勢が自然と形成できるもので、キャッチボールや投球フォームを正しく矯正することを目的とする。【解決手段】  基板に、止め具を設けた支持具を立設してなる基台と、上部に足置板を設けると共に、支持具に挿入し、上下移動可能に形成してなる支柱を突設してなる足置台とからなることを特徴とするピッチング用フォーム矯正器具。【選択図】図１
2009066374.tif 000002
【特許請求の範囲】
【請求項１】
基板に、止め具を設けた支持具を立設してなる基台と、上部に足置板を設けると共に、支持具に挿入し、上下移動可能に形成してなる支柱を突設してなる足置台とからなることを特徴とするピッチング用フォーム矯正器具。
【請求項２】
基板と支持具を支持連結部にて着脱自在に形成してなることを特徴とする請求項１記載のピッチング用フォーム矯正器具。
【請求項３】
足置板と支柱を、支柱連結部にて着脱自在に形成してなることを特徴とする請求項１又は２記載のピッチング用フォーム矯正器具。
【請求項４】
基板と支持具を、支持係止部にて折り畳み可能に形成してなることを特徴とする請求項１記載のピッチング用フォーム矯正器具。
【請求項５】
足置板と支柱を、支柱係止部にて折り畳み可能に形成してなることを特徴とする請求項１又は４記載のピッチング用フォーム矯正器具。
【発明の詳細な説明】
【技術分野】
【０００１】  本発明は、軸足（後足）を垂直とし、もう一方の振り被る足（前足）の膝を直角とし、キャッチボールや投球フォームを正しく矯正するためのピッチング用フォーム矯正器具に関するものである。
【背景技術】
【０００２】  従来の技術としては、腕を通して肩にかける環状のパイプと、パイプを肩から外れないように身体に保持するための保持具と、パイプの中に挿入して一端部を固定し、他端部を身体に保持状態のパイプの肩部に設けた穴から引き出した伸縮可能な弾性を有する紐状部材と、紐状部材の他端部に取り付けたボールとよりなるトレーニング器具がある。（特許文献１参照）【０００３】  また、別の従来技術としては、先端に錘を備える可撓性棒状体の運動練習用具であって、全体の形状が円筒である錘と、該錘の円筒の外径よりも大きい内径を備え、熱収縮材料からなる固定用の円筒形状部材とを有し、前記錘は、熱収縮された前記円筒形状部材によって前記可撓性棒状体に固着されていることを特徴とする運動練習用具がある。（特許文献２参照）【特許文献１】特開２００１−５８２号公報
【特許文献２】特開２００７−６１４０８号公報
【発明の開示】
【発明が解決しようとする課題】
【０００４】  上記前者においては、（１）球技において実際に使用するボールを使用して、実際に行うフットワークを伴った投球動作や走りながらの投球動作等の実践的トレーニングができるようにする。（２）筋力アップとストレッチ運動ができるようにする。（３）投球フォームの矯正ができるようにする。このような効果を有しているとのことであるが、図２からも分かるように肩に掛けて使用するもので、上半身へのトレーニング器具であり、最も大切な下半身をトレーニングするものではない。【０００５】  また、上記後者においても、利用者の熟練度や肩の筋肉の強度に適切に対応することにより、短期間に正しい投球フォームの形成や肩などの筋肉の鍛錬が可能な安全性の高い運動練習用具およびその製造方法を提供するものであるが、上半身に注力して開発されたものであり、これも、最も大切な下半身をトレーニングするものではない。【０００６】    本発明は、このような従来の構成が有していた問題を解決しようとするもので、軸足を垂直にし、振り被る足を足置板に置くことにより、膝を直角とすると共に、両肩を地面に平行にし、左肩が目標をしっかり向く姿勢が自然と形成できるもので、キャッチボールや投球フォームを正しく矯正することを目的とするものである。
【課題を解決するための手段】
【０００７】  本発明は、上記の目的を達成するために、基板に、止め具を設けた支持具を立設してなる基台と、上部に足置板を設けると共に、支持具に挿入し、上下移動可能に形成してなる支柱を突設してなる足置台とからなる。  基板と支持具を支持連結部にて着脱自在に形成してなる。  足置板と支柱を、支柱連結部にて着脱自在に形成してなる。  基板と支持具を、支持係止部にて折り畳み可能に形成してなる。  足置板と支柱を、支柱係止部にて折り畳み可能に形成してなることを特徴とする。
【発明の効果】
【０００８】１）、基板に止め具を設けた支持具を立設してなる基台と、支柱に足置板を設けた上下動可能な足置台とから構成され、軸足（後足）を垂直にし、振り被る足（前足）を足置板に置き、膝を折り曲げて直角とすると共に、両肩を地面に平行にし、左肩が目標をしっかり向く姿勢が自然に形成できることにより、キャッチボールや投球フォームを正しく矯正することができる。２）、足置板を支柱にて、上下動可能に設けることにより、自分の高さに合った位置に調整できるため、ベストポジションを設定できる。３）、支持連結部及び／または支柱連結部にて各部材を着脱自在に設けることにより、持ち運びが簡単であり、必要な場所にて組み立てて使用できるものである。４）、支持係止部及び／または支柱係止部にて、折り畳み可能に設けることにより、各部材を紛失することなく持ち運びでき、かつ、組立できるものである。５）、アンカーを設けることにより、地面に確実に係止して使用できる。
【発明を実施するための最良の形態】
【０００９】  １は、ピッチング用フォーム矯正器具である。  ２は、基台で、長方形状の基板２ａに、ハンドル付ボルト２ｂ１と雌ネジ部２ｂ２による止め具２ｂを設けたパイプ状の支持具２ｃを、突設した連結パイプ２ｄ１とボルト２ｄ２・ナット２ｄ３による支持連結部２ｄにより着脱自在に形成してなる。  ３は、足置台で、上部にスベリ止めラバー３ａ１と長方形状の四方折曲げ板３ａ２とからなる足置板３ａに、上記支持具２ｃに挿入し、上下移動可能に形成してなるパイプ状の支柱３ｂ（必要に応じて凹部３ｂ１…を形設する）を、突設した連結パイプ３ｃ１とボルト３ｃ２・ナット３ｃ３による支柱連結部３ｃにより着脱自在に形成してなる。（図１〜図４参照）【００１０】  上記のように構成したピッチング用フォーム矯正器具１の使用例について述べる。  まず、現状の投球フォーム（キャッチボール）の問題点として、左肩ＨＫ（前方）が下がってしまう場合、つっ込み気味となる。（図５参照）  また、遠くへ投げようと左肩ＨＫをあげてしまう場合、左肩が早く開くため、体重が前に乗りにくく、遠くへ投げることも力強い球を投げることもできない。（図６参照）【００１１】  つまり、正しい投球動作でボールを投げる時の身体の動きを見ると、主動部分（指先・手首・前腕・上腕など）と、これを支持して有効に働かせる固定部分（両脚・腰・胸・頭など）との２つに分かれる。  そして、これら主動部分と固定部分とが、タイミングよく連動しないといい投球にはならない。  なお固定部分といっても、ボールを投げる瞬間には、固定的に働くかもしれないが、投げるまでの過程では、両脚・腰・胸などは、腕の振りを強くするために、有効な誘導、補助動作を行っている。  その有効な誘導・補助動作が、足もとから、固定的な支持動作に変わり、腰・胸とそれが移って行き、最後に腕が大きく力強く、しなやかに、むちのように作動して指先の激しい運動となってボールを投げだす。  ボールを投げるとき、この固定的・支持的動作に、特に注意しなければならない。誰しもボールを投げる過程で、足腰を踏み出し、回転動作などによって、投球をリードすることには注目する。しかし投げる瞬間、そのフィニッシュの時に、足腰がピタッと固定的に動作して、主動部分が有効に働くということには、あまり目が注がれない。  投球動作というのは、いうまでもなく全身運動であって、手首や腕だけが、いかに強くても、また鍛えられていても、強い勢いのあるボールは投げられない。  大切なのは脊柱周辺にある大小の筋肉がしっかり鍛えられていることである。  上体が、タイミングよく固定動作を決めれば主動的部分の運動は、有効に働くものである。  固定的部分の運動で注意すべきことは、軸足が垂直に立って、右の軸足の膝を上げ、その足を強く地面にたたきつければ、自然と左足が上がってくる。  これが投手にとっての基本である。  このような体の軸とネジリ・タメを、基本として身につけることが大切である。【００１２】  つづいて、ピッチング用フォーム矯正器具１を使用した投球フォームを説明する。１）、例えばピッチャーＰがピッチング練習を行う場合、まず、軸足Ｇ（後足）の斜め前方に予め高さ調整を行ったピッチング用フォーム矯正器具１をセットし、振り被る。（図７参照）２）、軸足Ｇ（後足）を垂直にし、振り被る足Ｆ（前足）を足置板３ａに置き、（足置板３ａに平行に）、膝を折り曲げて直角Ｔ（図９参照）とすると共に、両肩Ｒを地面に平行にし、左肩ＨＫが目標をしっかり向く姿勢が自然に形成できる。（図８参照）３）、振り被った足Ｆ１（前足）を前方に踏み出すと同時に両腕を水平Ｓにすると共に、目は前方Ｚ（キャッチャー）を見る。（図１０参照）４）、右腰Ｍにタメをつくり、左胸ＨＭを張り、右肩ＭＫを水平に、肘ＨＧを右肩ＭＫより上にしてかまえる。（図１１参照）５）、軸足Ｇ（後足）を強く蹴り、腰Ｋを回しながら肘ＨＧと腕Ｕを前方に出し、手首ＴＫを出して力強くスナップをきかせて投球する。（図１２参照）６）、軸足Ｇを前に出して、フィニッシュする。（図１３参照）【００１３】  つぎに、ピッチング用フォーム矯正器具の他の実施例を説明する。  ピッチング用フォーム矯正器具２１は、四隅を折り曲げアンカー２２ａ１を形設してなる長方形状の基板２２ａに、雌ネジ部２２ｂ１とハンドル付ボルト２２ｂ２による止め具２２ｂを設けたパイプ状の支持具２２ｃを折り畳み可能に形成すべく、係止片２２ｄ１を着脱自在に固定するボルト・ナットによる固定部２２ｄ２と、支持ピン２２ｄ３を保持する保持部２２ｄ４とからなる支持係止部２２ｄにて折り畳み可能に形成してなる基台２２と、上部にスベリ止めラバー２３ａ１と長方形状の平板２３ａ２とからなる足置板２３ａに、上記支持具２２ｃに挿入し、上下移動可能に形成してなるパイプ状の支柱２３ｂを、係止片２３ｄ１を着脱自在に固定するボルト・ナットによる固定部２３ｄ２と、支持ピン２３ｄ３を保持する保持部２３ｄ４からなる支柱係止部２３ｄにて折り畳み可能に形成してなる足置台２３とから構成される。【００１４】  このピッチング用フォーム矯正器具２１は、係止片２２ｄ１を固定部２２ｄ２（ボルト・ナットを緩めたり、締め付けたりする）にて係止片２３ｄ１を固定部２３ｄ２（ボルト・ナットを緩めたり、締め付けたりする）にて各々着脱自在に固定することにより、組み立てたり、折り畳んだりすることができる。【００１５】  なお、上記各実施例において、材質・大きさ等は、必要に応じて決めればよい。
【図面の簡単な説明】
【００１６】
【図１】本発明の第１実施例を示すピッチング用フォーム矯正器具の縦断正面図。
【図２】本発明の第１実施例を示すピッチング用フォーム矯正器具の平面図。
【図３】本発明の第１実施例を示すピッチング用フォーム矯正器具の左側面図。
【図４】本発明の第１実施例を示すピッチング用フォーム矯正器具の支柱を伸ばした状態の正面図。
【図５】投球フォームの悪い一例を示す正面図。
【図６】投球フォームの悪い二例を示す正面図。
【図７】本発明の第１実施例を示すピッチング用フォーム矯正器具を使用してなる第１投球フォーム図。
【図８】本発明の第１実施例を示すピッチング用フォーム矯正器具を使用してなる第２投球フォーム図。
【図９】本発明の第１実施例を示すピッチング用フォーム矯正器具を使用してなる第２要部の投球フォーム図。
【図１０】本発明の第１実施例を示すピッチング用フォーム矯正器具を使用してなる第３投球フォーム図。
【図１１】本発明の第１実施例を示すピッチング用フォーム矯正器具を使用してなる第４投球フォーム図。
【図１２】本発明の第１実施例を示すピッチング用フォーム矯正器具を使用してなる第５投球フォーム図。
【図１３】本発明の第１実施例を示すピッチング用フォーム矯正器具を使用してなる第６投球フォーム図。
【図１４】本発明の第２実施例を示すピッチング用フォーム矯正器具の左側面図。
【図１５】本発明の第２実施例を示すピッチング用フォーム矯正器具の正面図。
【図１６】本発明の第２実施例を示すピッチング用フォーム矯正器具の折り畳んだ状態図。
【符号の説明】
【００１７】１−−−ピッチング用フォーム矯正器具２−−−基台２ａ−−基板２ｂ−−止め具２ｂ１−ハンドル付ボルト２ｂ２−雌ネジ部２ｃ−−支持具２ｄ−−支持連結部２ｄ１−連結パイプ２ｄ２−ボルト２ｄ３−ナット３−−−足置台３ａ−−足置板３ａ１−スベリ止めラバー３ａ２−四方折曲げ板３ｂ−−支柱３ｃ−−支柱連結部３ｃ１−連結パイプ３ｃ２−ボルト３ｃ３−ナットＨＫ−−左肩Ｔ−−−直角Ｒ−−−両肩Ｆ１−−振り被った足Ｓ−−−水平Ｚ−−−前方Ｍ−−−右腰ＨＭ−−左胸ＨＧ−−肘ＭＫ−−右肩Ｐ−−−ピッチャーＦ−−−振り被る足Ｇ−−−軸足Ｋ−−−腰ＴＫ−−手首Ｕ−−−腕
【図１】
2009066374.tif 000003
【図２】
2009066374.tif 000004
【図３】
2009066374.tif 000005
【図４】
2009066374.tif 000006
【図５】
2009066374.tif 000007
【図６】
2009066374.tif 000008
【図７】
2009066374.tif 000009
【図８】
2009066374.tif 000010
【図９】
2009066374.tif 000011
【図１０】
2009066374.tif 000012
【図１１】
2009066374.tif 000013
【図１２】
2009066374.tif 000014
【図１３】
2009066374.tif 000015
【図１４】
2009066374.tif 000016
【図１５】
2009066374.tif 000017
【図１６】
2009066374.tif 000018